(57)【要約】【課題】建築用シャッター装置において、シート式のシャッターカーテン１とガイドレール４とのあいだの隙間Ｙを封止するために設けられるシール材９の耐久性を向上する。【解決手段】シール材９を、基端部９ａが溝状部６に設けた係止溝６ｃに嵌入係止し、先端部９ｂがカーテン面に摺接するものとするにあたり、係止溝６ｃは、自然状態でシール材９の先端部９ｂがカーテン面から離間するよう基端部９ａを嵌入係止するものであり、溝状部６に、外筐部５に固定するための固定部６ａと、カーテン面とは逆側からシール材９に当接して、先端部９ｂがカーテン面に摺接するようシール材９を強制変形させる強制変形部１０ｂとを備えた支持部材１０を設けて、シール材先端部のカーテン面摺接が均一状になるよう構成する。【選択図】図５
2019082028.tif 000002
【特許請求の範囲】
【請求項１】
躯体開口部に設けた左右のガイドレールに、シャッターカーテンの左右両端部を昇降案内させることで開口部の開閉を行うように構成した建築用シャッター装置において、シャッターカーテンのカーテン面とガイドレールとのあいだの隙間を封止するため設けられるシール材を、基端部が躯体側に設けた係止溝に嵌入係止し、先端部がカーテン面に摺接するものとするにあたり、係止溝は、自然状態でシール材の先端部がカーテン面から離間するよう基端部を嵌入係止するものであり、躯体側には、躯体側に固定するための固定部と、カーテン面とは逆側からシール材に当接して、先端部がカーテン面に摺接するようシール材を強制変形させる強制変形部とを備えた支持部材が設けられることを特徴とする建築用シャッター装置における封止構造。
【請求項２】
強制変形部とシール材との当接部は粘着剤若しくは接着剤を介して止着されていることを特徴とする請求項１記載の建築用シャッター装置における封止構造。
【請求項３】
粘着剤は、両面粘着シートに設けられる粘着剤で構成されることを特徴とする請求項２記載の建築用シャッター装置における封止構造。
【請求項４】
固定部は、シール材のカーテン面とは反対側部位で躯体側に固定され、強制変形部は固定部から断面く字形に延長形成されていることを特徴とする請求項１乃至３の何れか１記載の建築用シャッター装置における封止構造。
【請求項５】
強制変形部は、板状体を折返し折曲させることで先端部位がＲ状になった状態でシール材に当接していることを特徴とする請求項１乃至４の何れか１記載の建築用シャッター装置における封止構造。
【請求項６】
支持部材は、躯体側の構成部材であるガイドレールに固定されることを特徴とする請求項１乃至５の何れか１記載の建築用シャッター装置における封止構造。
【請求項７】
ガイドレールは、躯体側に固定される外筐部と、該外筐部に内嵌される状態で固定され、シャッターカーテンの昇降案内をするためのガイド溝が形成された樹脂製の溝状部とを備えて構成され、溝状部の開口端縁部には、シール材基端部を嵌入係止するための係止溝と、支持部材固定部を固定するための固定片とが設けられていることを特徴とする請求項１乃至６の何れか１記載の建築用シャッター装置における封止構造。
【請求項８】
躯体側には、前記強制変形されたシール材のカーテン面側を受ける受け部が設けられていることを特徴とする請求項１乃至７の何れか１記載の建築用シャッター装置における封止構造。
【発明の詳細な説明】
【技術分野】
【０００１】
本発明は、建造物の出入り口等の開口部に建て付けられる建築用シャッター装置における封止構造の技術分野に関するものである。
【背景技術】
【０００２】
今日、出入口等の開口部のなかには建築用シャッター装置を建て付けることがあるが、このようなシャッター装置において、シャッターカーテンとガイドレールとのあいだの隙間を封止（シール）し、これにより例えば虫（昆虫）等の生物や塵埃等の侵入を防止する構造にすることが要求される場合がある。このような場合に、ガイドレール側（躯体側）に、先端部がシャッターカーテンのカーテン面に当接（摺接）するようシール材を設け、これによりガイドレールとカーテン面とのあいだの隙間を封止するようにしたものが知られている（例えば特許文献１参照。）。
【先行技術文献】
【特許文献】
【０００３】
【特許文献１】特開２０１０−２４８７１７号公報
【特許文献２】実用新案登録第３０６８６７０号公報
【発明の概要】
【発明が解決しようとする課題】
【０００４】
ところが前記従来のシール材は、先端部がカーテン面に摺接（当接）するものではあるが、シール材は、自然状態で基端部をビス等の固定具を介して点在的に固定するものであったため、固定具による先端部の固定部対応部位は固定力をしっかりと受けた状態でカーテン面に摺接するのに対し、固定されていない非固定部対応部位は固定力が弱くなった固定力が偏在する状態でカーテン面に摺接することになり、この結果、使用が長期に亘った場合、シール材先端部の疲労度合い（劣化度合い）に差異が出ることになって、該シール材先端部が皺のよる状態に変化（劣化）し、封止性（シール性）が早期のうちに低下してしまうという問題がある。
そこでシール材基端部を、ガイドレール（躯体）側に設けた係止溝に嵌入係止することで自然状態のシール材先端部がカーテン面に均一状態で摺接するようにして封止性を確保するようにしたものも提唱されている（特許文献２参照）。ところがこのものはシール材基端部が係止溝に嵌入する構成になっているだけであるから、どうしても基端部の支持が弱く、このため先端部でのカーテン面摺接力（当接力）が低下して封止性が損なわれるという問題があり、このため摺接力を高めようとしてシール材先端部のカーテン面への摺接角度を直角に近い側に偏倚させようとした場合、該先端部は、無理な折曲（湾曲）が強いられることになって早期のうちに劣化するという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、躯体開口部に設けた左右のガイドレールに、シャッターカーテンの左右両端部を昇降案内させることで開口部の開閉を行うように構成した建築用シャッター装置において、シャッターカーテンのカーテン面とガイドレールとのあいだの隙間を封止するため設けられるシール材を、基端部が躯体側に設けた係止溝に嵌入係止し、先端部がカーテン面に摺接するものとするにあたり、係止溝は、自然状態でシール材の先端部がカーテン面から離間するよう基端部を嵌入係止するものであり、躯体側には、躯体側に固定するための固定部と、カーテン面とは逆側からシール材に当接して、先端部がカーテン面に摺接するようシール材を強制変形させる強制変形部とを備えた支持部材が設けられることを特徴とする建築用シャッター装置における封止構造である。
請求項２の発明は、強制変形部とシール材との当接部は粘着剤若しくは接着剤を介して止着されていることを特徴とする請求項１記載の建築用シャッター装置における封止構造である。
請求項３の発明は、粘着剤は、両面粘着シートに設けられる粘着剤で構成されることを特徴とする請求項２記載の建築用シャッター装置における封止構造である。
請求項４の発明は、固定部は、シール材のカーテン面とは反対側部位で躯体側に固定され、強制変形部は固定部から断面く字形に延長形成されていることを特徴とする請求項１乃至３の何れか１記載の建築用シャッター装置における封止構造である。
請求項５の発明は、強制変形部は、板状体を折返し折曲させることで先端部位がＲ状になった状態でシール材に当接していることを特徴とする請求項１乃至４の何れか１記載の建築用シャッター装置における封止構造である。
請求項６の発明は、支持部材は、躯体側の構成部材であるガイドレールに固定されることを特徴とする請求項１乃至５の何れか１記載の建築用シャッター装置における封止構造である。
請求項７の発明は、ガイドレールは、躯体側に固定される外筐部と、該外筐部に内嵌される状態で固定され、シャッターカーテンの昇降案内をするためのガイド溝が形成された樹脂製の溝状部とを備えて構成され、溝状部の開口端縁部には、シール材基端部を嵌入係止するための係止溝と、支持部材固定部を固定するための固定片とが設けられていることを特徴とする請求項１乃至６の何れか１記載の建築用シャッター装置における封止構造である。
請求項８の発明は、躯体側には、前記強制変形されたシール材のカーテン面側を受ける受け部が設けられていることを特徴とする請求項１乃至７の何れか１記載の建築用シャッター装置における封止構造である。
【発明の効果】
【０００６】
請求項１の発明とすることにより、シール材は、基端部がビス等の固定具により点在的に固定されたものであっても、支持部材に設けられる強制変形部がシャッターカーテンとは逆側から該シール材を強制的に変形させることでシール材先端部がカーテン面に摺接することになるため、シール材先端部の無理な変形がないものにできながら、点在的な固定の影響が払拭されて、全体に亘って均一的な力での封止ができ、長期に亘って確実な封止をすることができる。
請求項２の発明とすることにより、シール材と強制変形部との当接部を、粘着材又は接着剤による連続的な止着ができることになって、シール材をより安定した状態での組み付けができると共に、止着がない場合のようにシール材が脱落してしまうような不具合を回避できることになる。
請求項３の発明とすることにより、前記当接部の止着が、両面粘着シートを利用してできることになって簡単になる。
請求項４の発明とすることにより、シール材を強制変形させるための支持部材を、固定部を用いて簡単に躯体側に取付けすることができ、しかも該取付けにより強制変形部によるシール部の強制変形ができることになる。
請求項５の発明とすることにより、強制変形部のシール部に当接する部位の先端が、板状部を折返し折曲することにより形成されたＲ状部位になるため、シール部が不用意に傷ついたりすることを回避でき、長寿命化に寄与できることになる。
請求項６の発明とすることにより、支持部材は、ガイドレールに固定されることとなって、ガイドレールとの一体化が図れることになる。
請求項７の発明とすることにより、ガイドレールのシャッターカーテンを昇降案内する部位を樹脂製の溝状部にしながら、該溝状部にシール材と支持部材が取り付けられることになり、構造の簡略化が図れることになる。
請求項８の発明とすることにより、シール材は、シャッターカーテン面側がさらに受け部によって支持されることになって固定部の固定状態による影響がより低減することになる。
【図面の簡単な説明】
【０００７】
【図１】建築用シャッター装置の正面図である。
【図２】建築用シャッター装置の側面断面図である。
【図３】建築用シャッター装置の横断面底面図である。
【図４】（Ａ）（Ｂ）は要部の横断面底面図、要部の一部分解横断面底面図である。
【図５】要部の拡大横断面底面図である。
【図６】（Ａ）（Ｂ）（Ｃ）は第二、第三、第四の実施の形態を示す横断面底面図である。
【発明を実施するための形態】
【０００８】
以下、本発明の実施の形態について、図面に基づいて説明する。図面において、１は建築用のシートシャッター装置を構成するシャッターカーテンであって、該シャッターカーテン１は、可撓性を有したシート材を備えて構成され、上端部がシャッターケース２に内装される巻取りシャフト３に連結されており、例えば図示しない開閉機の回転駆動に伴う巻取りシャフト３の正逆回転によりシャッターカーテン１の巻出し、巻取りがなされ、これによって躯体開口部の開閉がなされるようになっている。
尚、本実施の形態では、シャッターケース２の水平状の天板２ａの上側に、ケース先端側が低くなるよう傾斜した（勾配がある）傾斜板２ｂが設けられ、これによって天板２ａ上に埃等のごみ類が沈着するのを防止すると共に、傾斜板２ｂに傾斜があることでごみ類が溜まりづらくし、また傾斜板２ｂにごみ類が付着したとして、該付着したごみ類の発見がしやすいうえ、付着したごみ類の掃除による除去が容易にできるようになっていて衛生面等での配慮がなされている。
【０００９】
また、４は開口部の左右両側に設けられるガイドレールであって、該ガイドレール４は、左右方向内方側が開口する状態で躯体側に固定（取付けられる）される外筐部５と、該外筐部５に遊嵌状に内嵌する溝状部６とを備えて構成されるが、該溝状部６は、樹脂製であって、前記シャッターカーテン１を昇降案内をするためのガイド溝Ｘが形成された凹溝状をし、開口端部に開口部の出入り方向外側に向けて延出する開口両端縁部（本発明の「固定部」に相当する。）６ａ、６ｂが、外筐部５の開口端部に出入り方向内側に向けて延出する開口両端縁部５ａ、５ｂに対して左右方向内側からオーバーラップ（積層）する状態でビス７を介して固定されている。
そして前記ガイド溝Ｘには、シャッターカーテン１に上下方向適宜間隔を存して設けた左右方向に長い骨材８の左右両端部に設けたローラ８ａが内嵌することで、シャッターカーテン１の昇降案内をするようになっていること等は何れも従来通りであるが、骨材８は、シャッターカーテン１に形成の筒状部１ａに内嵌状に設けられる本体部８ｂと、筒状部１ａに内嵌する状態で本体部８ｂの左右方向両端部に設けられたホルダ８ｃと、該ホルダ８ｃから左右方向外方に突出する状態で設けられる軸部８ｄと、該軸部８ｄに軸支される前記ローラ８ａとを備え、ビス８ｅを介して筒状部１ａ、本体部８ｂ、ホルダ８ｃが一体的に固定されている。尚、８ｆは当て板である。
因みにシャッターカーテン１において、ガイド溝Ｘに内嵌して昇降案内されるものとしては本実施の形態のようにローラ８ａである必要はなく、例えば骨材８の左右両端部を延長したものであってもよく、またシャッターカーテン１が硬質である場合に、シャッターカーテン１自体の左右両端部であってもよく、シャッターカーテン１の昇降案内の構造としては、必要において従来公知のものを採用できることはいうまでもない。
【００１０】
そして本実施の形態では、溝状部６の屋内（または室内）側の開口端縁部６ａに本発明が実施されているが、必要において屋外側、さらには屋内外両側に本発明を実施してもよいことは言うまでもない。
前記溝状部６の屋内外の一方の開口端縁部（以下、単に「端縁部」という。）６ａには、前記ビス７の固定位置よりもガイド溝左側に偏倚する状態で蟻溝状の係止溝６ｃが形成されており、該係止溝６ｃに、シール材９の膨出状に形成された基端部９ａが嵌入係止されることでシール材９は抜止め状に取付けられているが、シール材９は、該取付けられたままの自然状態では、シャッターカーテン１のカーテン面と略平行状態になっていて、先端部９ｂがシャッターカーテン１の屋内側のカーテン面からは離間した（当接しない）対向状態で取付けられている。
【００１１】
１０は前記シール材９を後述するように強制変形させるための支持部材であって、該支持部材１０の固定部１０ａは、溝状部６の端縁部６ａに対して左右方向内側に積層される状態で前記ビス７を介して該端縁部６ａと共に外筐部５の端縁部５ａに固定されており、これによってビス７により溝状部６と支持部材１０とを同時固定するという取付けの兼用化が図られている。
支持部材１０には、固定部１０ａからシャッターカーテン１側に向けて断面く字形に折曲される状態で延出された強制変形部１０ｂが設けられているが、該強制変形部１０ｂは、シャッターカーテン１のカーテン面とは逆側からシール材９の係止溝６ｃから突出した中間部（本実施の形態では基端部９ａ寄りの中間部）９ｃに面接触状（押圧状）に当接してシール材９の先端部９ｂがシャッターカーテン１のホルダ８ｃ部位のカーテン面に摺接（当接）するよう強制変形させるものであり、このようにすることで、溝状部６の開口端部とカーテン面とのあいだの隙間Ｙを封止するようになっている。そしてこれらシール材９と強制変形部１０ｂとのあいだの当接面間には、粘着剤が設けられた両面粘着テープ１１が介在されることになって互いに粘着され、これによりシール材中間部９ｃと強制変形部１０ｂとの上下方向に長い連続状態での一体化が図られるようになっている。
【００１２】
因みに本実施の形態では、支持部材１０は、板状体を折り曲げ加工することで形成したものであり、その場合に、強制変形部１０ｂは、基端側半部１０ｃに対して先端側半部１０ｄをシャッターカーテン１とは反対側に、つまり固定部１０ａ側に折返し折曲させることで形成したものである。そしてこのように形成することで強制変形部１０ｂの先端部がＲ状となって、シール材９への当接が尖鋭状になることがなくなってシール材９の保護を図ることができる。
【００１３】
叙述の如く構成された本実施の形態において、シャッターカーテン１のカーテン面とガイドレール４とのあいだの隙間Ｙを封止するためシール材９を設けたものであるが、この場合にシール材９は、基端部９ａが溝状部６に設けた係止溝６ｃに嵌入係止し、先端部９ｂがカーテン面に摺接するものになりながら、該係止溝６ｃは、自然状態でシール材９の先端部９ｂがカーテン面から離間するよう基端部９ａを嵌入係止するものであり、そして溝状部６には、シール材基端部９ａを固定するための固定部１０ａと、カーテン面とは逆側からシール材９に当接して、先端部９ｂがカーテン面に摺接するようシール材９を強制変形させる強制変形部１０ｂとを備えた支持部材１０が設けられることになる。
この結果、シール材９は、自然状態ではカーテン面に摺接しない状態で設けられたものが、支持部材１０に設けられる強制変形部１０ｂによりシャッターカーテン１とは逆側から強制的に変形されることになって先端部９ｂがカーテン面に摺接することになる。このためシール材９は、シール材９自体を大きく折曲させる必要がないものでありながら、ビス等の固定具による点在的な固定による固定力の偏在状態での摺接がなく、全体に亘って均一的な摺接力での封止ができ、長期に亘って確実な封止をすることができる。
【００１４】
しかもこのものでは、強制変形部１０ｂとシール材９との当接部は粘着剤が設けられた両面粘着テープ１１により連続的に粘着による止着がなされるため、強制変形部１０ｂとシール材９との連続した当接部の一体化が促進されることになって、シール材９のより安定した状態での組み付けができることになって封止性、耐久性が向上するうえ、シール材９が止着のない場合のように不用意に脱落してしまうことを回避することができる。
因みに本発明においては、シール材９は、強制変形部１０ｂによる強制変形作用を受けて強制的に折曲変形するものであるため、粘着剤（両面粘着テープ１１による粘着に限定されず、粘着剤だけによる粘着であってもよい。）を用いての一体化の必要ないが、このように一体化するものである場合、粘着剤によることなく、接着剤による固定であってもよいことは言うまでもない。
【００１５】
また支持部材１０は、固定部１０ａがシール材９のカーテン面とは反対側部位で溝状部６に固定され、強制変形部１０ｂは固定部１０ａから断面く字形に延長形成されたものであるため、支持部材１０の形成が簡単であるだけでなく、支持部材１０の取付けが容易になるうえ、該取付けによる強制変形部１０ｂによるシール部９の強制変形が確実にできることになる。
しかも強制変形部１０ｂは、板状体を折返し折曲させることで先端部位がＲ状になった状態でシール材９に当接するため、シール材９に対して尖鋭状に当接することを回避できて、シール材９の保護が図れることになる。
因みに、支持部材１０としては、図６（Ｂ）（Ｃ）に示す第三、第四の実施の形態のように、強制変形部１０ｂを先端部がＲ状に形成された型材としたり、シール材当接面部をＲ状としたものとしたりすることができる。
【００１６】
さらに支持部材は、ガイドレール４の構成部材である溝状部６に取付けられるものであるため、ガイドレール４との一体化が図れることになって構造、組付け性の簡略化が図れることになる。
またガイドレール４は、外側の外筐部５と、該外筐部５に内嵌される状態で固定され、シャッターカーテン１の昇降案内をするためのガイド溝Ｘが形成された樹脂製の溝状部６とを備えて構成され、そして溝状部６は、シール材基端部９ａを嵌入係止するための係止溝６ｃが形成された端縁部６ａが外筐部５に固定されるものであるため、溝状部６へのシール材９の取付けが容易にできることになる。
【００１７】
尚、本発明は、前記実施の形態に限定されるものでないことは勿論であって、例えば図６（Ａ）に示す第二の実施の形態のように、前記強制変形部１０ｂにより強制変形されたシール材９のカーテン面側を受ける受け部６ｄが設けられたものとすることができ、このようにすることで、シール材９は、カーテン面側がさらに受け部６ｄによってより安定した支持がなされることになって封止性が向上することになる。
【産業上の利用可能性】
【００１８】
本発明は、建築物の開口部に建て付けられる建築用シャッター装置における封止構造として利用することができる。
【符号の説明】
【００１９】
１  シャッターカーテン
４  ガイドレール
５  外筐部
５ａ、５ｂ  開口端縁部
６  溝状部
６ａ、６ｂ  開口端縁部
６ｃ  係止溝
７  ビス
９  シール材
９ａ  基端部
９ｂ  先端部
１０  支持部材
１０ａ  固定部
１０ｂ  強制変形部
１１  両面粘着テープ
Ｘ  ガイド溝
Ｙ  隙間
【図１】
2019082028.tif 000003
【図２】
2019082028.tif 000004
【図３】
2019082028.tif 000005
【図４】
2019082028.tif 000006
【図５】
2019082028.tif 000007
【図６】
2019082028.tif 000008